(57)【要約】【課題】  この発明は、家屋等のセキュリティーのＯＮ、ＯＦＦを携帯電話の発信により行うことを目的としたものである。【解決手段】  この発明は、予め登録した信号を携帯電話から発信する送信手段を介して、セキュリティーＯＮ、ＯＦＦのリモコン手段と、不正侵入防止の目的場所たる建造物等に不正侵入する者を感知して警報ランプ、警報音その他の侵害対策のセキュリティー手段と、前記セキュリティーのリモコン手段からの発信を受信するセキュリティー本体のＯＮ、ＯＦＦの受信手段と、前記リモコン手段の登録を改変する登録変更手段とを組み合わせたことを特徴とする建造物等セキュリティーシステムにより目的を達成した。【選択図】      図１
2005128724.tif 000002
【特許請求の範囲】
【請求項１】
予め登録した信号を携帯電話から発信する送信手段を介して、セキュリティーＯＮ、ＯＦＦのリモコン手段と、不正侵入防止の目的場所たる建造物等に不正侵入する者を感知して警報ランプ、警報音その他の侵害対策のセキュリティー手段と、前記セキュリティーのリモコン手段からの発信を受信するセキュリティー本体のＯＮ、ＯＦＦの受信手段と、前記リモコン手段の登録を改変する登録変更手段とを組み合わせたことを特徴とする建造物等セキュリティーシステム。
【請求項２】
建造物等は、部屋、家屋、倉庫、事務所、店舗又は重要物存在場所としたことを特徴とする請求項１記載の建造物等セキュリティーシステム。
【請求項３】
リモコン手段は、携帯電話に予め登録した暗証番号その他の本人確認手段を経て、セキュリティーのＯＮ、ＯＦＦ手段を発信することを特徴とした請求項１記載の建造物等セキュリティーシステム。
【請求項４】
セキュリティー手段は、建造物等の入口など、侵入者の近接又は通過位置にセンサーを設置し、センサーにより人体を感知した時に警報音の発信、警報ランプの点灯、写真撮影その他を単独又は複合して作動させることを特徴とした請求項１記載の建造物等セキュリティーシステム。
【請求項５】
リモコン手段の改変は、登録解除手段と、登録手段を組み合わせたことを特徴とする請求項１記載の建造物等セキュリティーシステム。
【発明の詳細な説明】
【技術分野】
【０００１】
この発明は、携帯電話に予め登録した暗証番号を利用して、部屋、家屋、倉庫、事務所、店舗又は重要物存在場所などの建造物等のセキュリティーをＯＮ、ＯＦＦ及び配線の確実な接続をすることを目的とした建造物等セキュリティーシステムに関する。
【背景技術】
【０００２】
近年部屋内、家屋内侵入、又は店舗内侵入による盗難、或いは野外作物（例えば米、果実、その他の作物）の盗難、又は自動販売機その他の現金取り扱い場所における盗難などが多発している。
【０００３】
これに対し、鍵の改善、自動ロック、解錠者の確認その他の警備システムが対応しているが、個人防衛手段として総合的セキュリティーシステムは未だ知られていない。
【０００４】
従来不正解錠の防止装置、又は来訪者のチェックを加味した施錠システム、或いは従来のロックシステムを大幅には変えないピッキングを防止する施錠装置などが提案されている。
【特許文献１】特開２００２−１９４９３５
【特許文献２】特開平１１−６２３４５
【特許文献３】特開２００２−２８５７４４
【発明の開示】
【発明が解決しようとする課題】
【０００５】
前記従来の建造物等のセキュリティーにおいては、主としてピッキング防止の施錠装置であって、一旦解錠又は鍵が破壊されると、家屋内部は自由に行動されて、比較的容易に盗難にあっているが、防犯カメラなどによる侵入記録を保存するのみでは不十分であった。
【０００６】
然して防犯の確度が高いシステム程ＯＮ、ＯＦＦがむつかしくなっており、入居時に暗証番号を入力するシステムも多用されているが、遠隔操作できないとか、ＯＮ、ＯＦＦ操作が複雑になるとか、家屋を複数人で共同使用する際には、暗証番号が洩れるおそれがあるなど、幾多の問題点があった。
【０００７】
またセキュリティーの目的物が無人の場合（例えば倉庫など）には施錠が唯一の防衛手段であるが、錠を破壊された場合の対策がないなど、夫々問題点があった。
【課題を解決するための手段】
【０００８】
この発明は、携帯電話をリモコンとして使用できるようにすると共に、暗証番号を随時改変できるようにし、かつ入口等のセキュリティー解除乃至破壊によるセキュリティー機能不能になった場合においても、自動的に警報音を発し、警報灯を点灯し、その他の防衛手段が自動的に作動できるようにして前記従来の問題点を解決したものである。
【０００９】
即ちこの発明は、予め登録した信号を携帯電話から発信する送信手段を介して、セキュリティーＯＮ、ＯＦＦのリモコン手段と、不正侵入防止の目的場所たる建造物等に不正侵入する者を感知して警報ランプ、警報音その他の侵害対策のセキュリティー手段と、前記セキュリティーのリモコン手段からの発信を受信するセキュリティー本体のＯＮ、ＯＦＦの受信手段と、前記リモコン手段の登録を改変する登録変更手段とを組み合わせたことを特徴とする建造物等セキュリティーシステムであり、建造物等は、部屋、家屋、倉庫、事務所、店舗又は自動販売機、或いは重要物存在場所としたことを特徴とするものである。
【００１０】
またリモコン手段は、携帯電話に予め登録した暗証番号その他の本人確認手段を経て、セキュリティーのＯＮ、ＯＦＦ手段を発信することを特徴としたものであり、セキュリティー手段は、建造物等の入口など、侵入者の近接又は通過位置にセンサーを設置し、センサーにより人体を感知した時に警報音の発信、警報ランプの点灯、写真撮影その他を単独又は複合して作動させることを特徴としたものであり、リモコン手段の改変は、登録解除手段と、登録手段を組み合わせたことを特徴とするものである。前記写真撮影は、その直後に映像を安全な場所に転送するので、破壊されるおそれはない。
【００１１】
この発明の実施に用いる電源は電池を原則とするが、家庭用に送電される電源を用いてもよい。この場合に送電の遮断に際しては、電池への自動切換え回路を備えるようにする。
【００１２】
前記発明における重要物存在場所とは、作物保管倉庫、農場、展示場、販売場又は果樹園などもある。
【００１３】
前記のように、携帯電話をリモコンに使用できることは、家屋などにおいて、家族全部が夫々利用できると共に、家を出る際セキュリティーのＯＮを忘れても遠隔操作で後程ＯＮにし得る利点もある。
【００１４】
また暗証番号を適宜変換し得るので、第三者に洩れるおそれがあった場合には、直ちに変換して安全を期することができる。
【００１５】
前記警報などのセキュリティー手段は、前記の外にいろいろ考えられるが、この発明は、携帯電話をリモコンに使用することを必須要件とし、セキュリティー手段については、従来普通に使用されている方法の総てに応用することができる。
【００１６】
この発明の携帯電話は、リモコンエンジンのスタータ、オーディオ又はナビの操作その他マンションのオートロック、確認機能の操作、居住者確認機能、エレベータの作動のＯＮ、ＯＦＦ、金庫のセキュリティーのＯＮ、ＯＦＦなどにも使用することができる。
【００１７】
前記セキュリティーのＯＮ、ＯＦＦに際し、個体識別機能を付与すれば、セキュリティーの精度を更に向上させることができる。
【００１８】
例えば、個体識別機能としては、声紋、指紋、掌紋、顔写真、虹彩、バーコード、絵文字その他個体固有の発信と受信ができる表示物は総て使用できる。
【００１９】
前記は、実施可能なセキュリティーシステムについて説明したが、基本機能は次のとおりである。即ち９０ｄＢ以上の警報音、警報フラッシュ、点灯、カメラ機能、画像保持機能、画像転送機能、登録信号変更機能、赤外線センサーなどは具備することが望ましい。
【００２０】
携帯電話へ画像を表示させる為の送信方法は、インターネット、ＮＴＴドコモ−ｉモード、ａｕ−ＥＺＷＥＢ、Ｊ-フォン−Ｊスカイ、ボーダフォン、ボーダフォンライブなどを利用して画像を送信、受信する方法と、赤外線通信機能を利用して取り込むことができる。
【００２１】
また写真機能については、映像保持機能と映像転送機能などを付属させれば用途を一層拡大させることができる。
【００２２】
この発明には次のような特性がある。
【００２３】
（１）携帯でセキュリティーの操作ができる。（リモコン付属）
（２）携帯電話の赤外線通信機能を利用して画像が取り出せる。
【００２４】
（３）この発明のセキュリティーが取り付けてある家には侵入しにくい。
【００２５】
（４）本体とカメラ部分がコードレスなので、本体はどこにでも設置できる。
【００２６】
（５）センサー部増設可能。
【００２７】
（６）センサー部を室外に設置して不審者を感知し、ピッキング等で戸を開けて侵入したら室内外のセンサー部で侵入者を撮影し、フラッシュ・警報音で威嚇する。
【発明の効果】
【００２８】
この発明によれば、携帯電話の発信によりセキュリティーのＯＮ、ＯＦＦができるので、同一ドアーなどを複数人で使用する場合にも、夫々独立してセキュリティーのＯＮ、ＯＦＦができる効果がある。
【００２９】
また暗証番号の変換が自由かつ随時できるので、解読されるおそれがなく、安全性がきわめて高い。
【００３０】
更に遠隔操作もできるので、セキュリティーのＯＮを忘れた場合も心配なく、確実にロックすることができる。
【００３１】
更に写真転送機能を付与することにより、写真撮影後、その映像中必要部分を転送させることも可能であるなどの諸効果がある。
【発明を実施するための最良の形態】
【００３２】
この発明は、携帯電話に予め暗証番号を登録しておき、その発信ボタンを設け、セキュリティー本体に、セキュリティー回路をＯＮ、ＯＦＦする為の受信手段をセットしておけば、該発信ボタンを一回押すのみでセキュリティーを自動的にＯＮ、ＯＦＦすることができる。
【００３３】
前記セキュリティー本体は、センサー回路と接続し、人の侵入その他をセンサーで感知すれば、警告灯を点灯し、警報を発し又は写真を撮影するなどの一連の自動セキュリティー装置が動作し、侵入者への警告と、証拠保全を確実に行うことができる。
【００３４】
前記写真撮影機に録画電送装置を付属させれば、遠隔警報の原因と内容の一部を速知することができると共に、証拠を保全することができる。
【００３５】
前記センサーは、例えば接触方式（スイッチを踏みつけた時のみ回路完結）と、静電容量方式（大きい物が近接した時に生じる静電気の変化を利用）がある。この場合に予め静電容量の検出器を付属させておけば、犬、猫など、人体とを分別するので、誤作動のおそれを著しく小さくさせることができる。
【００３６】
また前記警報回路に、通信機能を付与すれば所定の警報を発すると共に、人の侵入その他の異常を警察に自動通報させることもできる。
【実施例１】
【００３７】
この発明の家屋（個人住宅）の実施例を図１に基づいて説明すると、家屋１内の適所に、セキュリティー本体２を設置し、該セキュリティー本体２を照明灯３、警報器４、写真器５及び発信器５と接続する。
【００３８】
前記家屋１内に侵入者６があると、センサー７が動作して、照明灯３が点灯し、警報器４が鳴り、写真器５により侵入者６を撮影すると共に、警察８と本人（携帯電話９）に通報１０する。前記警報４などにより侵入者６が逃走しても、侵入逃走者１１は写真器５の録画１２により容易に侵入者逮捕１３ができる。
【００３９】
前記センサー７は、侵入者の必ず通過する場所に設置する。例えばドアー付近、窓付近その他に複数箇所設置し、侵入者を逃さないように検知する。
【００４０】
前記通報には発信器が必要であるから、自動通報できない場合もあるが、そのような場合は携帯電話などの従来例によるものとする。
【００４１】
この発明の実施例おいて、暗証番号を変換するには、例えば現登録「＊１、２、３、４、５、６、７、８、９＃」とあるを解除し、ついて「＊１、２、３、５、６、７、８、９、１０＃」を入力すれば、暗証番号は入力どおりに改変される。
【００４２】
このような場合に、更に本人の認証番号、例えば「５、５、４」を加えてセキュリティーをＯＮにし、又はＯＦＦにすることにより、一層特定性が明らかになる。
【００４３】
前記において同一ドアー（例えば門扉）を数人で共同使用（家族の場合）している時には、暗証番号改変毎に他の共同使用者に変換した暗証番号を送信しておけば、全員が共用できるので不慮の支障を生じるおそれはない。
【図面の簡単な説明】
【００４４】
【図１】この発明の実施例のブロック図。
【符号の説明】
【００４５】
１  家屋
２  セキュリティー本体
３  照明片
４  警報器
５  写真器
６  侵入者
７  センサー
８  警察
９  携帯電話
１０  通報
１１  侵入逃走者
１２  録画
１３  侵入者逮捕
【図１】
2005128724.tif 000003